(57)【要約】      （修正有）【課題】製造装置の監視を行なうにあたり、無線タグを利用して無線で、安価に、製造装置の台数の増減、配置変更に対しても配線変更が不要な方法を実現する。【解決手段】製造装置５０に監視したい状態の数だけアクティブ型の無線タグ１０１〜１０ｎを取り付け、製造装置５０の監視したい状態を接点信号で無線タグの電源供給回路５２に接続し、これで無線タグの電源供給回路５２をオン、オフすることにより、接点が閉の場合は無線タグは予め書き込まれたデーターを送信する、接点が開の場合は電源が供給されないため無線タグはデーターを送信しないが形成され、製造装置５０の運転状態を無線タグのタグ情報として監視システムに通知する。【選択図】図１
2004295767.tif 000002
【特許請求の範囲】
【請求項１】
製造装置に、外部より電源を供給することにより駆動するアクティブ型の無線タグ（以下、アクティブ型の無線タグ、あるいは単に無線タグという）を当該装置の監視したい運転状態の数だけ取り付け、当該装置の監視したい運転状態ごとに監視したい運転状態を接点信号にて無線タグのＩＣチップの電源供給回路に接続し、当該装置の近辺に取り付けられた無線タグ用受信アンテナからの呼び出しに応じて接点の状態を各々の無線タグが返信することにより当該装置の運転状態を無線にて監視する監視方法であって、無線タグのＩＣチップには予め無線タグがデーターとして扱うことが出来る文字、数字、記号等のうち何かをデーターとして書き込んでおき、当該装置の近辺に取り付けられた無線タグ用受信アンテナから呼び出しがあった際、接点が閉の場合は無線タグが予め書き込まれたデーターを返信し、接点が開の場合はＩＣチップに電源が供給されないため無線タグがデーターを返信しないことにより接点の状態、すなわち製造装置の運転状態を無線タグのタグ情報に置き換えて製造装置の運転状態を監視する機器へ伝達することを特徴とする無線タグを利用した製造装置の監視方法。
【発明の詳細な説明】
【０００１】
【発明の属する技術分野】
本発明は製造装置の運転状態を監視するための方法に関する。
【０００２】
【従来の技術】
従来の製造装置の運転状態を監視する方式は製造装置とそれを監視するための監視用機器の間を図４あるいは図５に示すように有線にて接続するのが一般的である。また極くわずかではあるが図６に示すように製造装置に無線発信機を取り付けて監視するための機器と無線にて接続することも試みられている。
【０００３】
【発明が解決しようとする課題】
しかしながら以上の従来技術によれば図４に示す、運転状態の数だけの信号線を製造装置５０と監視用機器２３との間、配線するという方式は最も単純ではあるが製造装置５０と監視用機器２３の間の距離が長い場合、配線工事費が高額になることと、後に説明する製造装置５０の配置変更に容易に対応できないという問題を抱えている。
【０００４】
図５に示す、製造装置５０に通信信号出力機能５３を持った信号入力装置５５を取り付け、これに製造装置５０の運転状態をあらわす接点信号５１を接続し、通信信号出力機能５３により、シリアル通信等の手段で製造装置５０と監視用機器２３との間を接続する方式も多く用いられているが、単にハードウエアの追加だけでなく製造装置５０の運転状態をあらわす接点信号５１を取り込んで通信信号として出力するためのアプリケーションソフトウエアの製作も必要となるため高額であり、さらに製造工場では頻繁に製造装置５０の台数の増減、配置変更が行われるため、その都度、製造装置５０と監視用機器２３との間の配線変更が必要となり特に製造装置の台数が多い場合にはやはり対応が困難である。
【０００５】
なお、新規に製作される製造装置で当該製造装置の制御装置に製造装置の監視したい運転状態を取り込み、監視用機器へシリアル通信等の手段により、これを出力することが可能なよう予め設計されたものにあっては、信号入力装置５５と通信信号出力機能５３を当該制御装置にて代用することができるため、当該製造装置へ新たに通信信号出力機能５３を持った信号入力装置５５の取り付けは必要なくなるが、製造装置５０の台数の増減、配置変更にともなう製造装置５０と監視用機器２３との間の配線変更が必要となる問題は依然として残る。
【０００６】
図６に示す、製造装置５０に通信信号出力機能５３を持った信号入力装置５５を取り付け、これに製造装置５０の運転状態をあらわす接点信号５１を接続し、さらに無線発信機５４を取り付けて無線で監視用機器２３に接続する方式も希に用いられてはいるが、製造装置５０の台数の増減、配置変更に対しての適応性は高いものの、さらに高額となるため簡易に製造装置の監視を行いたいとの需要には対応が難しい。
【０００７】
そこで本発明は製造装置の監視を行なうにあたり、製造装置の運転状態を無線タグのタグ情報に置き換えて無線で取り出すことにより、安価に、しかも製造装置の台数の増減、配置変更に対しても製造装置と監視用機器の間の配線変更が不要な方法を実現することを課題とする。
【０００８】
【課題を解決するための手段】
上記課題を解決するため、本発明は以下のような特徴を有する。
【０００９】
製造装置に、アクティブ型の無線タグを当該装置の監視したい運転状態の数だけ取り付け、当該装置の監視したい運転状態ごとに監視したい運転状態を接点信号にて無線タグのＩＣチップの電源供給回路に接続し、当該装置の近辺に取り付けられた無線タグ用受信アンテナからの呼び出しに応じて接点の状態を各々の無線タグが返信することにより当該装置の運転状態を無線にて監視する監視方法であって、無線タグのＩＣチップには予め無線タグがデーターとして扱うことが出来る文字、数字、記号等のうち何かをデーターとして書き込んでおき、当該装置の近辺に取り付けられた無線タグ用受信アンテナから呼び出しがあった際、接点が閉の場合は無線タグが予め書き込まれたデーターを返信し、接点が開の場合はＩＣチップに電源が供給されないため無線タグがデーターを返信しないことにより接点の状態、すなわち製造装置の運転状態を無線タグのタグ情報に置き換えて製造装置の運転状態を監視する機器へ伝達することを特徴とする無線タグを利用した製造装置の監視方法。
【００１０】
【発明の実施の形態】
以下、図１から図３により本発明の実施例について説明する。
【００１１】
製造装置５０に監視したい運転状態の数だけ、ＩＣチップ１１に予め無線タグがデーターとして扱うことが出来る文字、数字、記号等のうち何かがデーターとして書き込まれたアクティブ型の無線タグ１０を取り付け、図１に示すように無線タグ１０のＩＣチップ１１の電源供給回路へ製造装置５０の運転状態をあらわす接点５１を接続する。
【００１２】
図３に示すように、監視したい全ての製造装置５０が設置される範囲において監視したい全ての製造装置５０に取り付けられた全ての無線タグ１０と交信するのが可能な数だけ、無線タグ用受信アンテナ（以下、受信アンテナという）２１を設置し、どの受信アンテナ２１でどの製造装置５０の無線タグ１０と交信させるかを決める。
【００１３】
次に、受信アンテナ２１に製造装置５０に取り付けられた無線タグ１０との交信の制御および無線タグ１０からの返信データーの読み込みを行なう無線タグ用リーダー機器（以下、リーダー機器という）２２を接続し、リーダー機器２２から受信アンテナ２１を経由して監視したい全ての製造装置５０へ取り付けられた全ての無線タグ１０との交信が行なえるようにする。
【００１４】
この上で、リーダー機器２２に監視用機器２３を接続し、監視用機器２３からリーダー機器２２へ定周期で監視したい全ての製造装置５０に取り付けられた全ての無線タグ１０と交信を行なうよう要求を出し、監視したい全ての製造装置５０に取り付けられた全ての無線タグ１０との交信を行なう。
【００１５】
交信の際、製造装置５０に取り付けられた無線タグ１０は、製造装置５０の運転状態をあらわす接点５１が閉の場合はＩＣチップ１１に予め書き込まれたデーターを受信アンテナ２１を経由してリーダー機器２２へ返信するが、製造装置５０の運転状態をあらわす接点５１が開の場合はＩＣチップ１１に電源が供給されないためリーダー機器２２へ何も返信しない。
【００１６】
以上の、無線タグ１０からの返信情報をリーダー機器２２を経由して監視用機器２３で受信することにより、監視用機器２３は当該無線タグ１０から予め書き込まれているデーターが返信されてきた場合は当該接点５１が閉、何も返信されてこない場合は当該接点５１が開の状態であると判別できる。これにより監視用機器２３は当該接点５１があらわす状態、すなわち当該製造装置５０の運転状態を識別することがこと可能となり、当該製造装置５０について運転中、停止中、異常停止中、異常原因１、異常原因２、異常原因３等の運転状態の表示を行なうことができる。
【００１７】
さらにこの受信情報、すなわち製造装置５０に取り付けられた無線タグ１０からの定周期での返信情報を監視用機器２３自身もしくは監視用機器２３に接続されたコンピューター等に蓄積することにより、当該製造装置５０の現在の運転状態の表示だけでなく、過去の運転状態の履歴、解析、ならびに製造装置５０の運転報告書作成等を行うことも出来る。
【００１８】
なお、無線タグ１０との交信方法については監視したい全ての製造装置５０に取り付けられた全ての無線タグ１０と１個づつ順番に交信を行なう、すなわち交信相手として指定した無線タグ１０からの返信の有無を確認の上、次の無線タグ１０との交信に移るという方法と、受信アンテナ２１が受け持つ範囲の全ての無線タグ１０に対して一斉に呼び出しを行ない一定時間内に返信を得るという方法とがあるが、後者の場合は当該の無線タグ１０より一斉に返信があるため返信情報がどの無線タグ１０からの返信であるのかの識別が必要になる。この識別については無線タグ１０自身が製造された時点から持っている固有の識別番号を接点信号５１の状態を伝達することを目的として書き込まれたデーターと一緒に返信するか、あるいは全ての無線タグ１０に他の無線タグ１０と識別することを目的に予め固有の名前、番号等をデーターとして書き込んでおき接点信号５１の状態を伝達することを目的として書き込まれたデーターと一緒に返信することにより可能となる。
【００１９】
他の実施形態１として、無線タグ１０のＩＣチップ１１への電源供給については図１に示す、一つの電源から共通に供給するもの以外に、図２に示す無線タグ１０のＩＣチップ１１ごとに供給電源を設け個別に供給するものでも良い。
【００２０】
他の実施形態２として、製造装置５０の運転状態を無線タグ１０のタグ情報として受信するにあたっては無線タグ１０のＩＣチップ１１に予め接点５１の状態を伝達することを目的としたデーターを書き込んでおくもの以外に、図３に示す受信アンテナ２１の代わりに送受信が可能なアンテナと、リーダー機器２２の代わりに無線タグ１０への読み込みと書き込みが可能な機器を設けて、先ず送受信アンテナから無線タグ１０へデーターを書き込み、同アンテナで再度これを読み込むものでも良い。
【００２１】
他の実施形態３として、受信アンテナ２１とリーダー機器２２を個別に設けるもの以外に、受信アンテナ２１とリーダー機器２２を一体化し、監視したい全ての製造装置５０が設置される範囲において監視したい全ての製造装置５０に取り付けられた全ての無線タグ１０と交信することが可能な数だけ、一体化した受信アンテナ２１とリーダー機器２２を取り付けるものでもよい。
【００２２】
【発明の効果】
以上説明したように本発明により、製造装置にアクティブ型の無線タグを監視したい運転状態の数だけ取り付け、これの電源供給回路を製造装置の状態をあらわす接点でオン、オフさせることにより、製造装置の運転状態を無線タグのタグ情報に置き換えて無線で取り出すことが出来るようになるため、安価に、しかも製造装置の台数の増減、配置変更に対しても当該製造装置と監視機器の間の配線変更が不要な方法を実現でき、製造装置の運転状態を容易に監視出来るようになる。
【００２３】
【図面の簡単な説明】
【図１】無線タグを利用して製造装置の運転状態を無線タグ用受信アンテナに伝送する方法を示した機能構成図である。
【図２】図１以外での実施形態を示した図である。
【図３】本発明を利用して製造装置の運転状態の監視を行う場合の方法を示したシステム構成図である。
【図４】従来技術での実施形態（運転状態の数だけの信号線を監視するための機器まで配線する）を示した図である。
【図５】従来技術での実施形態（製造装置に通信信号出力機能を持った信号入力装置を取り付けシリアル通信等で監視するための機器へ接続する）を示した図である。
【図６】従来技術での実施形態（無線発信機により監視するための機器へ接続する）を示した図である。
【符号の説明】
１０  アクティブ型無線タグ
１１  上記無線タグに組み込まれたＩＣチップ
１２  上記無線タグに組み込まれた交信用アンテナ
２１  無線タグ用受信アンテナ
２２  無線タグ用リーダー機器
２３  監視用機器
２５    無線受信機
５０  製造装置
５１  製造装置の運転状態をあらわす接点信号
５２  アクティブ型無線タグへの供給電源
５３    通信信号出力機能
５４    無線発信機
５５    信号入力装置
５９    製造装置と監視用機器との間を接続する配線
【図１】
2004295767.tif 000003
【図２】
2004295767.tif 000004
【図３】
2004295767.tif 000005
【図４】
2004295767.tif 000006
【図５】
2004295767.tif 000007
【図６】
2004295767.tif 000008